(57)【要約】【課題】複数の電池同士の接触を確実に防止可能な電池保持構造を提供する。【解決手段】電池２４Ａ、２４Ｂを、収納空間２６Ａ、２６Ｂに各々入れると、電池２４Ａと電池２４Ｂとは、互いに平行に保持される。この状態で、電池２４Ａと電池２４Ｂとが互いに接近する方向に移動すると、電池２４Ａ及び電池２４Ｂは、電池接触防止部２８Ａ及び電池接触防止部２８Ｂの収納空間２６Ａ側と収納空間Ｂ側に各々に当接する。これにより、電池２４Ａと電池２４Ｂとの間には所定距離が確保される。【選択図】　図１
2004103441.tif 000002
【特許請求の範囲】
【請求項１】
複数の電池を互いに並列に保持可能な保持部材と、
前記複数の電池同士の間に設けられ、電池同士の接触を防止する接触防止部材と、
を備えた電池保持構造。
【請求項２】
前記接触防止部材は、リブであることを特徴とする請求項１に記載の電池保持構造。
【請求項３】
前記保持部材と前記リブとが一体的に形成されていることを特徴とする請求項２に記載の電池保持構造。
【請求項４】
前記接触防止部材は、電池同士を０．５ｍｍ以上離間させることを特徴とする請求項１乃至請求項３の何れか１項に記載の電池保持構造。
【請求項５】
請求項１乃至請求項４の何れか１項の電池保持構造を備えた携帯用機器。
【発明の詳細な説明】
【０００１】
【発明の属する技術分野】
本発明は、電池保持構造及び携帯用機器に係り、特に、複数の電池を互いに並列に保持する電池保持構造に関する。
【０００２】
【従来の技術】
従来より、電気機器に電池を複数収納するための電池保持構造として、電池同士を並列に配置して保持するものがある。例えば、特許文献１には、図５に示すように、電池収納部５０に形成された収納空間５２に、電池５４Ａ、５４Ｂが平行に並べられて収納される構造の電池保持構造が開示されている。しかしながら、このような構造では、電池の被覆が摩耗などにより剥がれた場合には、露出した電池の電極同士が接触し、本来接触するべきでない部分同士が接触してしまう（以下、前述のような接触を「異常接触」という）。
【０００３】
【特許文献１】
特開２００２−７５３０５公報
【０００４】
【発明が解決しようとする課題】
本発明は、上記事実を考慮して成されたものであり、複数の電池同士の接触を確実に防止可能な電池保持構造を提供することを目的とする。
【０００５】
【課題を解決するための手段】
上記課題を解決するために、請求項１に記載の電池保持構造は、複数の電池を互いに並列に保持可能な保持部材と、前記複数の電池同士の間に設けられ、電池同士の接触を防止する接触防止部材と、を含んで構成されている。
【０００６】
ここで、並列とは、必ずしも平行であることを意味するのではなく、複数の電池同士が、交わる関係、あるいは、ねじれの関係である場合を含む。
【０００７】
上記構成によれば、保持部材により互いに並列に保持された電池同士の接触は、電池接触防止部材によって防止されるので、電池同士の接触を防止することができる。その結果、電池の被覆が剥がれた場合にも、電池同士の異常接触を回避することができる。
【０００８】
なお、本発明の電池保持構造は、請求項２に記載のように、前記接触防止部材をリブで構成することを特徴とすることができる。この構成によれば、保持部材に保持された電池同士は、互いに接近する方向へ移動しても、リブに当接することによって所定距離の離間が確保され、互いの接触が防止される。したがって、簡易な構造で電池同士の接触を防止することができる。
【０００９】
なお、本発明の電池保持構造は、請求項３に記載のように、前記保持部材と前記リブとを一体的に形成することにより、より容易に形成することができる。
【００１０】
また、本発明の電池保持構造は、請求項４に記載のように、前記リブが電池同士を０．５ｍｍ以上離間させる形状であることが好ましい。
【００１１】
本発明の携帯用機器は、請求項１乃至請求項４の何れか１項の電池保持構造を含んで構成されている。
【００１２】
本発明の携帯用機器によれば、接触防止部材によって、携帯用機器に使用される複数の電池同士の接触が防止される。その結果、電池の被覆が剥がれた場合にも、電池同士の異常接触が回避される。
【００１３】
なお、ここで携帯用機器とは、デジタルカメラ、銀塩カメラなどの撮像装置、ヘッドフォンステレオなどの音声再生装置、携帯型ゲーム機、携帯型ラジオなどの携帯型受信機、携帯型トランシーバーなどの携帯型無線機、「ＰＤＡ」と称される個人情報機器（Ｐｅｒｓｏｎａｌ　Ｄｉｇｉｔａｌ　Ａｓｓｉｓｔａｎｔ）、携帯電話などの、携帯可能なあらゆる機器をいう。
【００１４】
【発明の実施の形態】
以下、図面を参照して本発明の電池保持構造の実施形態について説明する。本実施形態では、デジタルカメラの一部を構成する電池保持構造に、本発明を適用した例について説明する。
【００１５】
図１は、デジタルカメラ１０の背面側及び底面側が見えている状態の斜視図である。デジタルカメラ１０は、背面側に、ファインダ１２、液晶表示部１４、十字キー１６、及び複数の各種指示ボタン１８を備え、底面側に保持部材としての電池収納部２０を備える。電池収納部２０は底面側に、開閉可能な蓋２２を備え、蓋２２が開けられることにより、電池収納部２０の後述する収納空間２６が開放され、円柱状の電池２４Ａ、２４Ｂを収納可能とされている。
【００１６】
図２は、電池収納部２０をデジタルカメラ１０の底面の法線方向からみたときの図である。電池収納部２０には、図１及び図２に示すように、収納空間２６が形成されている。収納空間２６の中央部には、電池収納部２０と一体的に電池接触防止部２８Ａ、２８Ｂが形成されている。電池接触防止部２８Ａと電池接触防止部２８Ｂとは、互いに対向し合うと共に所定距離離間している。電池接触防止部２８Ａと電池接触防止部２８Ｂとが離間していることにより、収納空間２６は、収納空間２６Ａと収納空間２６Ｂとに分けられている。収納空間２６Ａ、及び収納空間２６Ｂの各々は、公差バラツキに対応できるように、電池２４Ａ、２４Ｂの径よりも少し大きい径の円柱状とされている。
【００１７】
次に、本実施形態の作用について説明する。
【００１８】
蓋２２を開放して、電池２４Ａ、２４Ｂを、収納空間２６Ａ、２６Ｂに各々入れると、電池２４Ａと電池２４Ｂとは、互いに平行に保持される。この状態で、デジタルカメラ１０が動かされて、電池２４Ａと電池２４Ｂとが互いに接近する方向に移動した場合には、電池２４Ａ及び電池２４Ｂは、電池接触防止部２８Ａ及び電池接触防止部２８Ｂの収納空間２６Ａ側と収納空間２６Ｂ側に各々に当接する。これにより、電池２４Ａと電池２４Ｂとの間には所定距離Ｘが確保される。
【００１９】
したがって、電池２４Ａ、２４Ｂが互いに接触するのを防止することができる。その結果、電池２４Ａ、２４Ｂの被覆が剥がれて電極が露出した場合にも、互いの電極同士が接触して異常接触を起こすのを回避することができる。
【００２０】
なお、本実施形態では、電池接触防止部２８Ａ及び電池接触防止部２８Ｂを、電池収納部２０と一体的に形成した例について説明したが、電池接触防止部２８Ａ及び電池接触防止部２８Ｂは、電池収納部２０とは別体とすることもできる。特に、電池接触防止部２８Ａ及び電池接触防止部２８Ｂを電池収納部２０と一体的に形成することにより、より容易に形成することができる。
【００２１】
また、電池２４Ａ、２４Ｂ間の所定距離Ｘは、絶縁性を考慮して０．５ｍｍ以上とすることが好ましい。さらに、前記所定距離Ｘは、電池収納部２０に収納可能な電池のうち、径の小さいもの（公差バラツキによる）を収納した場合に、０．５ｍｍ以上となることが好ましい。
【００２２】
また、本実施形態では、電池接触防止部材を２つ設けて（電池接触防止部２４Ａ、電池接触防止部２４Ｂ）電池２４Ａと電池２４Ｂとの接触を防止したが、図３に示すように、電池接触防止部材を１つだけ設けて（電池接触防止部３０）、電池２４Ａと電池２４Ｂとの接触を防止することもできる。
【００２３】
また、図４に示すように、収納空間２６Ａと収納空間２６Ｂとの間を完全に仕切る隔壁３２を構成して、電池２４Ａと電池２４Ｂとの接触を防止することもできる。
【００２４】
なお、上記説明では、本発明の携帯型機器としてデジタルスチルカメラを例に挙げたが、携帯型機器はこれに限定されない。たとえば、銀塩カメラなどの撮像装置を挙げることができる。さらには、動画を撮影可能な動画撮影装置、いわゆるヘッドフォンステレオなどの音声再生装置、携帯型ゲーム機、携帯型ラジオなどの携帯型受信機、携帯型トランシーバーなどの携帯型無線機、「ＰＤＡ」と称される個人情報機器（Ｐｅｒｓｏｎａｌ　Ｄｉｇｉｔａｌ　Ａｓｓｉｓｔａｎｔ）、携帯電話なども、本発明の携帯型機器に含まれる。また、実際の使用状況において、携帯して使用されるか、若しくは据え置いて使用されるかは特に問わず、携帯可能に構成されていればよい。
【００２５】
【発明の効果】
以上説明したように、本発明の電池保持構造、及び携帯用機器によれば、電池同士の間に設けられた電池接触防止部材によって互いの接触が防止されるので、確実に電池同士の接触を防止することができる。その結果、電池の被覆が剥がれた場合にも、電池の異常接触を回避することができる。
【図面の簡単な説明】
【図１】本実施形態のデジタルカメラの斜視図である。
【図２】本実施形態の電池収納部を電池収納側からみた図である。
【図３】本実施形態の電池収納部の他の例を電池収納側からみた図である。
【図４】本実施形態の電池収納部の他の例を電池収納側からみた図である。
【図５】従来の電池収納部の例を示す図である。
【符号の説明】
２０　　電池収納部
２４Ａ、２４Ｂ　電池
２８Ａ、２８Ｂ　電池接触防止部（電池接触防止部材）
３０　　電池接触防止部（電池接触防止部材）
３２　　隔壁（電池接触防止部材）
【図１】
2004103441.tif 000003
【図２】
2004103441.tif 000004
【図３】
2004103441.tif 000005
【図４】
2004103441.tif 000006
【図５】
2004103441.tif 000007